(57)【要約】【課題】手引マニュアル書の利用を簡易・迅速に行うことを可能とする。【解決手段】装置本体の表示部に、装置本体の動作状態または使用者により選択された設定状態を表示する一方、その動作／設定状態に対応する機能メッセージを使用者の要求指令に応じて表示する表示制御手段を備え、表示制御手段２１によって動作／設定状態に対応する操作メッセージの表示を行う際に、ページ番号記憶手段２９に格納した手引マニュアル書のページ番号をページ番号検索手段により検索して表示することによって、手引マニュアル書の記載事項に関する参照動作を容易・迅速かつ正確に行うことを可能とするように構成したもの。【選択図】      図３
2004214990.tif 000002
【特許請求の範囲】
【請求項１】
装置本体の表示部に、装置本体の動作状態または使用者により選択された設定状態の表示と、それらの動作／設定状態に対応する操作メッセージの表示とを行う表示制御手段を備えた画像形成装置の表示装置において、
上記表示制御手段は、前記操作メッセージが記載された手引マニュアル書のページ番号を上記操作メッセージごとに対応させて記憶したページ番号記憶手段と、そのページ番号記憶手段に対して現在表示されている動作／設定状態に対応する操作メッセージが記載されている手引マニュアル書のページ番号を検索するページ番号検索手段と、を備え、
上記ページ番号検索手段により検索した手引マニュアル書のページ番号を表示するように構成されていることを特徴とする画像形成装置の表示装置。
【請求項２】
装置本体の表示部に、装置本体の動作状態または使用者により選択された設定状態を表示する一方、その動作／設定状態に対応する機能メッセージを使用者の要求指令に応じて表示する表示制御手段を備えた画像形成装置の表示装置において、
上記表示制御手段は、動作／設定状態に対応する機能が記載された手引マニュアル書のページ番号を上記機能メッセージごとに対応させて記憶したページ番号記憶手段と、そのページ番号記憶手段に対して現在表示されている動作／設定状態に対応する機能メッセージが記載されている手引マニュアル書のページ番号を検索するページ番号検索手段と、を備え、
上記ページ番号検索手段により検索した手引マニュアル書のページ番号を、使用者の要求指令に応じて表示するように構成されていることを特徴とする画像形成装置の表示装置。
【請求項３】
前記ページ番号記憶手段は、前記操作メッセージまたは機能メッセージと、それら操作メッセージまたは機能メッセージに対応した手引マニュアル書のページ番号とを関連付けしたページ番号テーブルを、外部入力に基づいて編集可能とする編集・更新手段を備えていることを特徴とする請求項１または請求項２記載の画像形成装置の表示装置。
【請求項４】
前記編集・更新手段は、データシートに記述された手引マニュアル書のページ番号に関するバーコードを、原稿読取手段を通して外部入力画像として読み込み、その読み込んだ外部入力画像を解析して得た新たなページ番号により前記ページ番号テーブルを書き換えて編集するように構成されていることを特徴とする請求項３記載の画像形成装置の表示装置。
【請求項５】
前記編集・更新手段は、前記データシートから読み込んだ外部入力画像を通常の原稿画像から区別する機能を備えているとともに、
データシートから読み込んだ外部入力画像の場合には、その読み込んだ外部入力画像を直ちに解析して自動的に編集するように構成されていることを特徴とする請求項４記載の画像形成装置の表示装置。
【発明の詳細な説明】
【０００１】
【発明の属する技術分野】
本発明は、装置本体の動作状態または使用者により選択された設定状態の表示と、それらの動作／設定状態に対応する操作メッセージまたは機能メッセージの表示とを行うようにした画像形成装置の表示装置に関する。
【０００２】
【従来の技術】
近年、電子写真複写機、ファクシミリまたはプリンタなどの各種画像形成装置においては、特にデジタル複合機の場合のように複数の能力を備えた多機能のものが開発されつつあり、それらの各機能を使用者が適宜に選択することによって好適な使用状態が得られるようにしている。そして、その使用者により選択された画像形成装置の設定状態が、装置本体の動作状態とともにディスプレイ表示部に表示されるようになっている。
【０００３】
このような使用者により選択された各機能に関する操作メッセージまたは機能メッセージは、手引マニュアル書に記載されているものであるが、機能が豊富になるにつれて手引マニュアル書が数百ページにも及ぶものものあり、使用者が全てのメッセージを記憶しておくことは不可能に近くなっているとともに、所望の機能を選択するにあたって、分厚い手引マニュアル書の中から一項目を探し出して設定することには多大な時間を要することがある。そこで従来から、操作メッセージをした操作ガイダンスや、機能メッセージの概要を説明したヒント表示などを、ディスプレイ表示部に表示することによって使用者の便宜を図り、選択・設定時間の短縮化および設定操作のミスを防止するようにしたもが開発されている。
【０００４】
【発明が解決しようとする課題】
ところが、ディスプレイ表示部の限られたエリア内に全てのメッセージ、特に応用的な設定手順や使用上の注意事項などの詳細情報に関するメッセージまで表示することは難しく、それらの詳細情報に関するメッセージについては手引マニュアル書に限って記載せざるを得ないことがある。特に、小型化を要求される画像形成装置では、ディスプレイ表示部に十分な情報を表示することは困難であることから、どうしても手引マニュアル書を参照せざるを得ない場合が多い。そして、手引マニュアル書を参照するにあたっては、多大の項目の中から目次や索引などを通して目的の操作または機能を説明した項目を見つけ出すこと自体が難しくなる傾向にあり、その必要な項目を見つけ出す段階において既に多大の時間または労力を要することがある。
【０００５】
そこで本発明は、手引マニュアル書の利用を簡易・迅速に行うことができるようにした画像形成装置の表示装置を提供することを目的とする。
【０００６】
【課題を解決するための手段】
上記目的を達成するために、本発明の請求項１にかかる画像形成装置の表示装置では、装置本体の表示部に、装置本体の動作状態または使用者により選択された設定状態の表示と、それらの動作／設定状態に対応する操作メッセージの表示とを行う表示制御手段を備えた画像形成装置の表示装置において、上記表示制御手段は、前記操作メッセージが記載された手引マニュアル書のページ番号を上記操作メッセージごとに対応させて記憶したページ番号記憶手段と、そのページ番号記憶手段に対して現在表示されている動作／設定状態に対応する操作メッセージが記載されている手引マニュアル書のページ番号を検索するページ番号検索手段と、を備え、上記ページ番号検索手段により検索した手引マニュアル書のページ番号を表示するように構成されている。
【０００７】
このような構成を有する請求項１にかかる画像形成装置の表示装置によれば、現時点の動作／設定状態の表示に加えて、その動作／設定状態に対応した操作メッセージの表示が行われるとともに、その操作メッセージが記載されている手引マニュアル書のページ番号の表示が行われることとなるため、手引マニュアル書の記載事項に関する参照動作が容易・迅速かつ正確に行われるようになっている。
【０００８】
また、本発明の請求項２にかかる画像形成装置の表示装置では、装置本体の表示部に、装置本体の動作状態または使用者により選択された設定状態を表示する一方、その動作／設定状態に対応する機能メッセージを使用者の要求指令に応じて表示する表示制御手段を備えた画像形成装置の表示装置において、上記表示制御手段は、動作／設定状態に対応する機能が記載された手引マニュアル書のページ番号を上記機能メッセージごとに対応させて記憶したページ番号記憶手段と、そのページ番号記憶手段に対して現在表示されている動作／設定状態に対応する機能メッセージが記載されている手引マニュアル書のページ番号を検索するページ番号検索手段と、を備え、上記ページ番号検索手段により検索した手引マニュアル書のページ番号を、使用者の要求指令に応じて表示するように構成されている。
【０００９】
このような構成を有する請求項２にかかる画像形成装置の表示装置によれば、現時点の動作／設定状態の表示に加えて、その動作／設定状態に対応した機能メッセージの表示が行われるとともに、その機能メッセージが記載されている手引マニュアル書のページ番号の表示が使用者の必要に応じて行われることとなるため、手引マニュアル書の記載事項に関する参照動作が容易・迅速かつ正確に行われるようになっている。
【００１０】
さらに、本発明の請求項３にかかる画像形成装置の表示装置では、上記請求項１または請求項２におけるページ番号記憶手段が、操作メッセージまたは機能メッセージと、それら操作メッセージまたは機能メッセージに対応した手引マニュアル書のページ番号とを関連付けしたページ番号テーブルを、外部入力に基づいて編集可能とする編集・更新手段を備えている。
【００１１】
このような構成を有する請求項３にかかる画像形成装置の表示装置によれば、手引マニュアル書の改訂や翻訳などによるページ番号の変更に対応して、表示すべき新たなページ番号を適宜に編集してページ番号テーブルを更新することが可能となることから、装置の利便性・有用性が向上されるようになっている。
【００１２】
さらにまた、本発明の請求項４にかかる画像形成装置の表示装置では、上記請求項３における編集・更新手段が、データシートに記述された手引マニュアル書のページ番号に関するバーコードを、原稿読取手段を通して外部入力画像として読み込み、その読み込んだ外部入力画像を解析して得た新たなページ番号によりページ番号テーブルを書き換えて編集するように構成されている。
【００１３】
このような構成を有する請求項４にかかる画像形成装置の表示装置によれば、ページ番号テーブルの内部データの書き直しがデータシートの読み込みによって容易かつ正確に行われることとなり、装置の利便性・有用性が一層向上されるようになっている。
【００１４】
一方、本発明の請求項５にかかる画像形成装置の表示装置では、上記請求項４における編集・更新手段が、データシートから読み込んだ外部入力画像を通常の原稿画像から区別する機能を備えているとともに、データシートから読み込んだ外部入力画像の場合には、その読み込んだ外部入力画像を直ちに解析して自動的に編集するように構成されている。
【００１５】
このような構成を有する請求項５にかかる画像形成装置の表示装置によれば、データシートの更新情報が迅速・確実かつ安全に読み込まれることとなり、利便性を向上させつつ安全性が確保されるようになっている。
【００１６】
【発明の実施の形態】
以下、本発明の実施形態を図面に基づいて詳細に説明する。
まず図１に示されているように、画像形成装置の全体は、画像形成の各動作を実行する印字記録エンジン部１と、その印字記録エンジン部１における動作を制御するコントローラ部２とから構成されており、上記コントローラ部２に設けられた処理部２１からの各種制御信号が、インターフェース２２を通して上記印字記録エンジン部１に送出されるようになっている。
【００１７】
上記コントローラ部２の処理部２１内には、以下の説明するような表示制御手段が設けられており、その表示制御手段に対して、使用者の選択による各種機能の設定を行う入力部２３が接続されている。この入力部２３を通して入力された設定状態を含む各種情報は、同じく表示制御手段に接続されたディスプレイ表示部２４において適宜の形で表示されるようになっている。
【００１８】
これら入力部２３およびディスプレイ表示部２４は、例えば図２に示されているような操作表示パネルＷＰ上に配置されている。この操作表示パネルＷＰには、上述したディスプレイ表示部２４の他に、前記入力部２３としてのスタートキー２３ａ、ヒント表示キー２３ｂ、２ｉｎ１モードキー２３ｃ、テンキー２３ｄ、ユーザモードキー２３ｅなどが配列されていて、これらのキーを含む上記入力部２３を通して選択された設定状態が、例えば図３中の▲１▼で示されている画像モード、選択用紙サイズ、およびコピー枚数のようにして、上記ディスプレイ表示部２４に表示されるようになっている。また、上述した２ｉｎ１モードキー２３ｃ等の機能キーが押し下げられることによって、例えば２ｉｎ１モードがオンされたときには、その２ｉｎ１モードの機能表示が、図３中の▲２▼で示されているように行われる。
【００１９】
また、上述した処理部２１内の表示制御手段は、装置本体の動作状態、例えば図４中の▲１▼で示されているような紙詰まりによるアラーム状態も、上記ディスプレイ表示部２４に表示する機能を有している。つまり、上記ディスプレイ表示部２４には、装置本体（印字記録エンジン部１）のアラーム状態等の動作状態、または使用者の選択によるモード状態等の設定状態に関する動作／設定状態が表示されるようになっている。
【００２０】
一方、このようなディスプレイ表示部２４における動作／設定状態に関する表示に加えて、以下のような動作／設定状態に対応するメッセージ等に関する表示動作が、前記表示制御手段の制御作用により実行されるようになっている。
【００２１】
すなわち、図１に戻って、前述した処理部２１内の表示制御手段に接続されたＲＯＭ（メッセージ記憶手段）２５には、図５に表したページ番号テーブルにおける左側二つの欄のように、上述した動作／設定状態、つまり装置本体（印字記録エンジン部１）の動作状態または使用者の選択による設定状態（ガイド名）と、各動作／設定状態（ガイド名）に対応する操作メッセージおよび機能メッセージとが、一対一に対応させた状態で書き換え不可能に格納されている。そして、それらの各動作／設定状態（ガイド名）に対応した操作メッセージまたは機能メッセージが、動作／設定状態の表示とともに上記ディスプレイ表示部２４に表示されるようになっている。
【００２２】
例えば、前述した「２ｉｎ１モード」が選択された設定状態となると、図３中の▲３▼のように「２枚の原稿を１枚の用紙にコピーします」との機能メッセージが表示され、また、装置本体（印字記録エンジン部１）が「紙詰まり」の動作状態となると、図４中の▲２▼のような「前カバーを開けて紙を取り除いて下さい」との操作メッセージが表示されることとなる。
【００２３】
ここで再び図１に戻って、前述した処理部２１内の表示制御手段に接続されたＲＡＭ（ページ番号記憶手段）２６には、図５に表したページ番号テーブルに示されているように、上述した動作／設定状態（ガイド名）のそれぞれに対応した操作メッセージおよび機能メッセージ等のメッセージに関連づけして、それらの各メッセージが記載された手引マニュアル書の「ページ番号」が、一対一に対応させた状態で書き換え可能に記憶されている。
【００２４】
そして、上述したようにして操作メッセージおよび機能メッセージ等のメッセージが表示されるときには、それらの各メッセージに対応した手引マニュアル書の「ページ番号」が、前記表示制御手段に設けられたページ番号検索手段によって検索される構成になされており、その検索結果としての「ページ番号」が、図３中の▲３▼または図４中の▲２▼のようにして、上述した各メッセージとともに前記ディスプレイ表示部２４上に表示されるようになっている。
【００２５】
このような処理部２１内の表示制御手段による表示動作を順を追って具体的に説明すると、例えば図６に示されているようになる。
同図において、まず装置本体（印字記録エンジン部１）の動作状態が「紙詰まり」等のアラーム状態となっているか否かを判断し（ステップ１）、アラーム状態となっている場合（ステップ１のＹｅｓ）、またはアラーム状態にはなっていないが（ステップ１のＮｏ）ヒント表示キー２３ｂが押し下げられている場合には（ステップ２のＹｅｓ）、装置本体（印字記録エンジン部１）の動作状態または使用者の選択による設定状態（ガイド名）に対応した操作メッセージまたは機能メッセージを検索し（ステップ３）、上述した図３中の▲３▼または図４中の▲２▼のようにしてディスプレイ表示部２４上に表示する。
【００２６】
なお、アラーム状態にもなっていないし（ステップ１のＮｏ）、ヒント表示キー２３ｂが押し下げられてもいない場合には（ステップ２のＮｏ）、例えば図３の▲１▼で示されているような通常の表示状態をそのまま維持することとなる（ステップ１１）。
【００２７】
次に、上述した動作／設定状態、つまり装置本体（印字記録エンジン部１）の動作状態または使用者の選択による設定状態（ガイド名）に対応したメッセージを検索して（ステップ３）、そのメッセージをディスプレイ表示部２４上に表示したときには、その表示した各メッセージに対応した手引マニュアル書の「ページ番号」の検索を行う（ステップ４）。検索の結果、該当する「ページ番号」が存在している場合には（ステップ５のＹｅｓ）、検索結果としての「ページ番号」を、例えば図３中の▲３▼または図４中の▲２▼のようにして、上述した操作または機能のメッセージとともにディスプレイ表示部２４上に表示する（ステップ６）。一方、該当する「ページ番号」が存在していない場合には（ステップ５のＮｏ）、上述した操作または機能のメッセージのみの表示を行うこととする（ステップ７）。
【００２８】
さらに、このようにして表示した機能メッセージが、上述したヒント表示キー２３ｂ（図２参照）が押し下げられたときのものである場合には（ステップ２のＹｅｓかつステップ８のＹｅｓ）、そのヒント表示キー２３ｂが再度押し下げられるまでの間（ステップ９のＹｅｓ）、その機能メッセージの表示をそのまま維持する。また、表示した機能メッセージが、ヒント表示キー２３ｂが押し下げられていないときのものである場合には（ステップ８のＮｏ）、そのときのアラーム状態が解除されるまでの間（ステップ１０のＹｅｓ）、上述した機能メッセージの表示をそのまま維持する。そして、最終的には通常の表示に戻すこととする（ステップ１１）。
【００２９】
このような構成を備えた本実施形態によれば、動作／設定状態、つまり装置本体（印字記録エンジン部１）の動作状態または使用者の選択による設定状態（ガイド名）に対応した操作または機能のメッセージが、ディスプレイ表示部２４に表示されるとともに、その動作／設定状態のメッセージが記載されている手引マニュアル書の「ページ番号」の表示が行われることとなり、その結果、手引マニュアル書中の記載事項に関する参照動作が容易かつ正確に行われるようになっている。
【００３０】
一方、上述したように、前記表示制御手段に接続されたＲＡＭ（ページ番号記憶手段）２６に記憶された、各動作／設定状態に対応したメッセージが記載された手引マニュアル書の「ページ番号」は、書き換え編集可能な情報にて記憶されており、例えば図７に示されているようなデータシートＤＳを、装置本体に付設された例えば図８のような公知のスキャナ装置３０に設けられた原稿台３１上にセットし、その原稿台３１から送り出されたデータシートＤＳを、原稿スキャナ部３２にて画像を読み取ることによって、上記「ページ番号」の書き換え編集が行われるようになっている。
【００３１】
すなわち、図１に示されているように、上述した処理部２１内に設けられた表示制御手段には、上述したスキャナ装置３０等からなるデータシート読取部２７がバーコード認識部２８を介して接続されており、データシート読取部２７を通して読み込まれた上記データシートＤＳのバーコード画像を、上記バーコード認識部２８に対して外部入力として入力し、そのバーコード認識部２８の解析機能によって上記ＲＡＭ（ページ番号記憶手段）２６内の「ページ番号」の編集・更新を、以下のようにして行うように構成されている。
【００３２】
すなわち、まず上記データシートＤＳには、例えば図７に示されているように、送り方向の前端側（図示上端側）に横細長状の機種識別用領域Ｙが設定されており、その機種識別用領域Ｙには、当該データシートＤＳが対応している機種番号を内容とする機種識別用のバーコードが記述されている。また、その機種識別用領域Ｙに続くメイン情報領域には、書き換え編集すべき「ページ番号」が、前述した各操作メッセージまたは機能メッセージにそれぞれ対応したバーコードとして記述されている。
【００３３】
このデータシートＤＳは、手引マニュアル書の内容を改訂したときや、言語の翻訳を行った場合などによって、上述した各メッセージが記載されているページ番号が変更になったときに使用するのであり、装置本体側に設けられた上記バーコード認識部２８には、前記スキャナ装置３０により読み取られた当該データシートＤＳのバーコード画像を解析する公知の編集・更新手段（図示省略）が設けられており、そのバーコード認識部２８に設けられた編集・更新手段により解析された上記データシートＤＳの記述内容に従って、書き換えるべき新たなページ番号を得て、その新たなページ番号による書き換え更新が、前述した図５にかかるページ番号テーブルに対して実行されるようになっている。
【００３４】
例えば図９に示されているように、まずデータシートＤＳをスキャナ装置３０にセットし、ユーザモードキー２３ｅ（図２参照）の押し下げによって読込モードを実行し、上記データシートＤＳの読込を開始する（ステップ１）。そして、データシートＤＳの１ページ分に相当するバーコード画像を原稿スキャナ部３２から読み取ると、それを外部入力として前記バーコード認識部２８の編集・更新手段によってバーコードの解析を行う（ステップ２）。このとき、その機種に対応していないデータシートＤＳが用いられていたり、データシートＤＳ以外のものが読み込まれた場合には（ステップ３のＮｏ）、不適切であるとことからＮＧ指示を表示する（ステップ４）。
【００３５】
一方、適正なデータシートＤＳが用いられた場合には（ステップ３のＹｅｓ）、そのデータシートＤＳの記述内容の解析結果に基づいて、図５に示されたページ番号テーブルの編集・更新を実行し（ステップ５）、それをＲＡＭ２５に新たに格納して終了する。
【００３６】
このような実施形態においては、手引マニュアル書の改訂や翻訳などによるページ番号の変更に対応して、表示すべき新たなページ番号を適宜に編集してページ番号テーブルを更新することが容易に可能となることから、装置の利便性・有用性が向上されることとなり、特に本実施形態では、データシートＤＳを用いた編集・更新が行われることから、ページ番号テーブルの内部データの書き直しがデータシートＤＳの読み込みによって容易かつ正確に行われることとなり、装置の利便性・有用性が一層向上されるようになっている。
【００３７】
このとき、図１０に示されている実施形態では、上述したデータシートＤＳの読込指示を行わなくても、図５に示されたページ番号テーブルの編集・更新を自動的に行うようにしている。すなわち、同図に示されているように、まず通常のコピー動作と同様にしてスタートキー２３ｂ（図２参照）を押し下げることによって、何らかの画像データをスキャナ装置３０から読み込むと（ステップ１）、その読み込んだ画像データに対して、上述したデータシートＤＳの機種識別用領域Ｙ（図７参照）に相当する領域に関する画像の解析をバーコード認識部２８により実行し（ステップ２）、その解析の結果、その機種に対応していないデータシートＤＳが用いられていたり、データシートＤＳ以外のものが読み込まれた場合には（ステップ３のＮｏ）、通常の原稿であると判断して、通常の印字動作を開始することとする（ステップ４）。
【００３８】
一方、適正なデータシートＤＳが用いられていた場合には（ステップ３のＹｅｓ）、バーコード認識部２８によって上記画像データに記述されたバーコードの解析を行い（ステップ５）、そのデータシートＤＳの記述内容の解析結果に基づいて、図５に示されたページ番号テーブルの編集・更新を実行し（ステップ６）、それを新たにＲＡＭ２５に格納して終了する。
【００３９】
このような実施形態によれば、データシートＤＳの更新情報が迅速・確実かつ安全に読み込まれることとなり、装置の利便性を向上させつつ安全性が確保されるようになっている。
【００４０】
以上本発明者によってなされた発明を実施形態に基づき具体的に説明したが、本発明は上記実施形態に限定されるものではなく、その要旨を逸脱しない範囲で種々変形可能であるというのはいうまでもない。
【００４１】
例えば、本発明は、複写機やファクシミリなどのように多種多様な画像形成装置に対して同様に適用することができるものである。
【００４２】
【発明の効果】
以上述べたように、請求項１記載の発明にかかる画像形成装置の表示装置は、表示制御手段によって動作／設定状態に対応する操作メッセージの表示を行う際に、ページ番号記憶手段に格納した手引マニュアル書のページ番号をページ番号検索手段により検索して表示することによって、手引マニュアル書の記載事項に関する参照動作を容易・迅速かつ正確に行うことを可能としたものであるから、手引マニュアル書の利用を簡易・迅速に行うことができ、画像形成装置の使用性を大幅に向上させることができる。
【００４３】
また、本発明の請求項２にかかる画像形成装置の表示装置は、表示制御手段によって動作／設定状態に対応する機能メッセージの表示を使用者の要求に応じて行う際に、ページ番号記憶手段に格納した手引マニュアル書のページ番号をページ番号検索手段により検索して表示することによって、手引マニュアル書の記載事項に関する参照動作を容易・迅速かつ正確に行うことを可能としたものであるから、手引マニュアル書の利用を簡易・迅速に行うことができ、画像形成装置の使用性を大幅に向上させることができる。
【００４４】
さらに、本発明の請求項３にかかる画像形成装置の表示装置は、上記請求項１または請求項２におけるページ番号記憶手段において操作メッセージまたは機能メッセージに対応した手引マニュアル書のページ番号とを関連付けしたページ番号テーブルを外部入力に基づいて編集可能とする編集・更新手段を設けて、手引マニュアル書の改訂や翻訳などによるページ番号の変更に対応して、表示すべき新たなページ番号を適宜に編集してページ番号テーブルを更新することを可能とし、装置の利便性・有用性を向上させるように構成したものであるから、上述した効果を更に向上させることができる。
【００４５】
さらにまた、本発明の請求項４にかかる画像形成装置の表示装置は、上記請求項３における編集・更新手段によって、データシートに記述された手引マニュアル書のページ番号に関するバーコードを原稿読取手段を通して外部入力画像として読み込み、その読み込んだ外部入力画像を解析して得た新たなページ番号によりページ番号テーブルを書き換えて編集するように構成して、ページ番号テーブルの内部データの書き直しをデータシートの読み込みによって容易かつ正確に行い、装置の利便性・有用性を一層向上させるように構成したものであるから、上述した効果を一層高めることができる。
【００４６】
一方、本発明の請求項５にかかる画像形成装置の表示装置は、上記請求項４における編集・更新手段によって、データシートから読み込んだ外部入力画像を通常の原稿画像から区別するとともに、データシートから読み込んだ外部入力画像の場合には、その読み込んだ外部入力画像を直ちに解析して自動的に編集するように構成して、データシートの更新情報を迅速・確実かつ安全に読み込み、利便性を向上させつつ安全性を確保したものであるから、上述した効果を更に高めることができる。
【図面の簡単な説明】
【図１】本発明の一実施形態における表示装置のコントローラ部を表した模式的ブロック線図である。
【図２】操作表示パネルの一例を表した平面説明図である。
【図３】操作表示パネルに設けられたディスプレイ表示部における表示例を表した平面説明図である。
【図４】操作表示パネルのディスプレイ表示部における他の表示例を表した平面説明図である。
【図５】内部に格納されたページ番号テーブルの内容の一例を表した概念的説明図である。
【図６】動作／設定状態の表示と、それに対応するメッセージの表示と、そのメッセージに対応するページ番号の表示とを行う場合の表示手順の一例を表したフロー図である。
【図７】データシートの一例を表した模式的平面説明図である。
【図８】スキャナ装置の一例を表した模式的側面説明図である。
【図９】データシートを用いてページ番号テーブルの編集制御手順の一例を表したフロー図である。
【図１０】データシートを用いてページ番号テーブルの編集を自動で行うようにした制御手順の一例を表したフロー図である。
【符号の説明】
１  印字記録エンジン部
２  コントローラ部
２１  処理部
２３  入力部
２３ａ  スタートキー
２３ｂ  ヒント表示キー
２３ｃ  ２ｉｎ１モードキー
２３ｄ  テンキー
２３ｅ  ユーザモードキー
２４  ディスプレイ表示部
２５  ＲＯＭ（メッセージ記憶手段）
２６  ＲＡＭ（ページ番号記憶手段）
２７  データシート読取部
２８  バーコード認識部（編集・更新手段）
ＷＰ  操作表示パネル
ＤＳ  データシート
Ｙ  機種識別用領域
３０  スキャナ装置
３１  原稿台
３２  原稿スキャナ部
【図１】
2004214990.tif 000003
【図２】
2004214990.tif 000004
【図３】
2004214990.tif 000005
【図４】
2004214990.tif 000006
【図５】
2004214990.tif 000007
【図６】
2004214990.tif 000008
【図７】
2004214990.tif 000009
【図８】
2004214990.tif 000010
【図９】
2004214990.tif 000011
【図１０】
2004214990.tif 000012